(57)【特許請求の範囲】
【請求項１】
体内から摘出した摘出部位にセンチネルリンパ節が含まれているかを確認する検知装置であって、
前記摘出部位を載置する載置部と、
この載置部に載置された前記摘出部位に対して所定の位置関係となるように配設され、磁性体又は放射性物質を検知するセンサと
を備えたことを特徴とする検知装置。
【請求項２】
前記載置部は、前記摘出部位を載置する凹状の受部を有することを特徴とする請求項１記載の検知装置。
【請求項３】
前記載置部は、前記摘出部位を載置する凹状の受部を有する摘出部位載置容器により構成され、
前記載置部を配置する基台を備えた
ことを特徴とする請求項１記載の検知装置。
【請求項４】
前記受部は、上側開口部の面積よりも下側載置部の面積の方が狭く、内側面には、上側開口部から下側載置部に向かい内側に傾斜された傾斜部が設けられたことを特徴とする請求項２又は請求項３記載の検知装置。
【請求項５】
前記センサは、前記受部の前記下側載置部に対応して、高感度領域が位置するように配設されたことを特徴とする請求項４記載の検知装置。
【請求項６】
前記摘出部位載置容器は、前記基台に配置された時に、前記基台に接触せず、手で把持することができる把持部を有することを特徴とする請求項３記載の検知装置。
【請求項７】
前記載置部は、前記センサに対して相対的に移動可能とされたことを特徴とする請求項１記載の検知装置。
【請求項８】
前記センサを複数配列して設けたことを特徴とする請求項１記載の検知装置。
【請求項９】
前記センサが磁性体又は放射性物質を検知した時に光により検知を知らせる光表示部を備えたことを特徴とする請求項１記載の検知装置。
【請求項１０】
前記光表示部は、前記センサに内蔵若しくは隣接して、又はその両方に設けられたことを特徴とする請求項９記載の検知装置。
【請求項１１】
前記光表示部は、前記センサにより磁性体又は放射性物質を検知した位置にレーザー光を照射するレーザー発光素子により構成されたことを特徴とする請求項９記載の検知装置。
【請求項１２】
前記載置部に載置された前記摘出部位を撮像する撮像部と、
前記撮像部により撮像された映像を表示する映像表示部と、
前記センサが磁性体又は放射性物質を検知した際に、前記センサにより検知した検知位置を前記摘出部位の映像に重ねて前記表示部に表示する検知位置指示部と
を備えたことを特徴とする請求項１記載の検知装置。
【請求項１３】
前記センサが磁性体又は放射性物質を検知した時に、検出した磁気信号又は放射線信号の強度に応じた数値を表示することにより、磁性体又は放射性物質を検知したことを知らせる通知部を備えたことを特徴とする請求項１記載の検知装置。
【請求項１４】
請求項３に記載の検知装置において前記載置部として用いられ、前記摘出部位を載置する凹状の受部が形成されたことを特徴とする摘出部位載置容器。
【請求項１５】
前記受部は、上側開口部の面積よりも下側載置部の面積の方が狭く、内側面には、上側開口部から下側載置部に向かい内側に傾斜された傾斜部が設けられたことを特徴とする請求項１４記載の摘出部位載置容器。
【請求項１６】
前記基台に配置された時に、前記基台に接触せず、手で把持することができる把持部を有することを特徴とする請求項１４又は請求項１５記載の摘出部位載置容器。
【請求項１７】
非磁性材料により構成されたことを特徴とする請求項１４から請求項１６のいずれか１に記載の摘出部位載置容器。
【請求項１８】
非金属材料により構成されたことを特徴とする請求項１４から請求項１７のいずれか１に記載の摘出部位載置容器。
【発明の詳細な説明】
【技術分野】
【０００１】
本発明は、体内から摘出した摘出部位にセンチネルリンパ節（ＳＬＮ＝Ｓｅｎｔｉｎｅｌ  Ｌｙｍｐｈ  Ｎｏｄｅ）が含まれているかを確認する検知装置及びそれに用いる摘出部位載置容器に関する。
【背景技術】
【０００２】
癌治療における癌転移診断のひとつとして、センチネルリンパ節生検がある。これは、センチネルリンパ節に転移がなければ、それ以降のリンパ系への癌転移はないと診断する診断方法である。従って、センチネルリンパ節を摘出、検査した結果、転移が認められなければ、それ以降のリンパ節郭清部位を最小限にすることができる。
【０００３】
従来、乳癌では、ガンマ線を発する放射性同位元素薬と青色の色素を腫瘍周囲に投与し、手術前に体外から、ガンマ線検出器であるガンマプローブを用いて、おおよそのセンチネルリンパ節の位置を探し、手術時に、色素により染色されセンチネルリンパ節を視認により同定していた。しかし、この方法では、放射性同位元素薬を使用するので、患者及び医療従事者が放射線被ばくしてしまうという問題があった。また、放射性同位元素薬を扱うため、高額な設備が必要であるという問題もあった。そこで、腫瘍周囲に注入した磁性流体をトレーサーとして、これを検出することによって、センチネルリンパ節の位置を同定する方法がある（例えば、特許文献１参照）。
【０００４】
このようにして手術時に同定されたセンチネルリンパ節は、体内から摘出され、最終的には病理検査される。その際、病理検査の前に、摘出した部位に同定した磁性流体を含有するセンチネルリンパ節が含まれているかを確認する作業が行われる。この確認作業は、例えば、手術中に人体に対して用いる拳銃タイプの検知装置をそのまま用い、検知装置のプローブの先端に摘出した部位を人手で近づけて行っている。
【０００５】
そのため、摘出部位をフィルムで包むなどの前処理する必要があり、時間がかかるという問題があった。また、摘出部位を人手でプローブの先端に近づけるので、位置決め及び位置固定が安定せず、プローブ先端への押し付け具合により検知精度が大きく異なり、迅速かつ正確に確認作業を行うことが難しいという問題もあった。更に、複数のリンパ節を一体として摘出した場合には、一つ一つのリンパ節に対して確認作業を行わなければならず手間がかかるという問題もあった。患者は、病理検査の結果がでるまでの間、手術中の状態、すなわち患部が開かれた状態のままとなる。よって、確認作業は、迅速かつ正確に行われる必要がある。
【先行技術文献】
【特許文献】
【０００６】
【特許文献１】特開２０１３−２２６４０７号公報
【発明の概要】
【発明が解決しようとする課題】
【０００７】
本発明は、このような問題に基づきなされたものであり、体内から摘出した摘出部位にセンチネルリンパ節が含まれているかを迅速かつ正確に確認することができる検知装置及びそれに用いる摘出部位載置容器を提供することを目的とする。
【課題を解決するための手段】
【０００８】
本発明の検知装置は、体内から摘出した摘出部位にセンチネルリンパ節が含まれているかを確認するものであって、摘出部位を載置する載置部と、この載置部に載置された摘出部位に対して所定の位置関係となるように配設され、磁性体又は放射性物質を検知するセンサとを備えたものである。
【０００９】
本発明の摘出部位載置容器は、本発明の検知装置において載置部として用いられ、摘出部位を載置する凹状の受部が形成されたものである。
【発明の効果】
【００１０】
本発明の検知装置によれば、摘出部位を載置する載置部と、載置部に載置された摘出部位に対して所定の位置関係となるように配設されたセンサとを備えるようにしたので、載置部に摘出部位を載置することにより、容易にセンサと摘出部位とを所定の位置関係とすることができる。よって、摘出部位にセンチネルリンパ節が含まれているか否かを迅速かつ正確に確認することができる。
【００１１】
特に、載置部に摘出部位を載置する凹状の受部を設けるようにすれば、摘出部位の載置位置を容易に位置決めすることができる。
【００１２】
また、摘出部位を載置する凹状の受部を有する摘出部位載置容器により載置部を構成し、基台に配置するようにすれば、摘出部位を受部に載置して基台に配置することにより、容易にセンサと摘出部位とを所定の位置関係とすることができる。また、摘出部位に個別に対応して摘出部位載置容器を交換するようにすれば、１回毎に載置部を掃除する手間がなく、簡便に確認作業を行うことができる。
【００１３】
また、載置部をセンサに対して相対的に移動可能とするようにすれば、摘出部位に複数のリンパ節が含まれる場合に、磁性体又は放射性物質を含むセンチネルリンパ節がセンサに近づいた時にセンサが検知するので、複数あるリンパ節のうちのどれがセンチネルリンパ節であるかを容易に判断することができる。
【００１４】
更に、センサを複数配列して設けるようにすれば、摘出部位に複数のリンパ節が含まれる場合に、磁性体又は放射性物質を含むセンチネルリンパ節の近くにあるセンサが検知するので、センサの位置により、複数あるリンパ節のうちのどれがセンチネルリンパ節であるかを容易に判断することができる。
【００１５】
加えて、センサが磁性体又は放射性物質を検知した時に光により検知を知らせる光表示部をセンサに内蔵若しくは隣接して、又はその両方に設けるようにすれば、センサが磁性体又は放射性物質を検知したこと及びその位置を光により容易に確認することができる。
【００１６】
更にまた、センサが磁性体又は放射性物質を検知した際に、センサにより検知した検知位置を摘出部位の映像に重ねて表示部に表示する検知位置指示部を備えるようにすれば、表示部の表示を見ることにより、磁性体又は放射性物質を含むセンチネルリンパ節の位置を容易に確認することができる。
【図面の簡単な説明】
【００１７】
【図１】本発明の第１の実施の形態に係る検知装置の構成を表す図である。
【図２】本発明の第２の実施の形態に係る検知装置の構成を表す図である。
【図３】本発明の第３の実施の形態に係る検知装置の構成を表す図である。
【図４】本発明の第４の実施の形態に係る検知装置の構成を表す図である。
【図５】本発明の第５の実施の形態に係る検知装置の構成を表す図である。
【図６】本発明の第６の実施の形態に係る検知装置の構成を表す図である。
【発明を実施するための形態】
【００１８】
以下、本発明の実施の形態について図面を参照して詳細に説明する。
【００１９】
（第１の実施の形態）
図１は、本発明の第１の実施の形態に係る検知装置１０の構成を表すものである。この検知装置１０は、例えば、センチネルリンパ節生検において、体内から摘出した摘出部位Ｍに、磁性流体又は放射性物質を含むセンチネルリンパ節Ｍ１が含まれているかを確認するものである。この検知装置１０は、摘出部位Ｍを載置する載置部１１と、この載置部１１に載置された摘出部位Ｍに対して所定の位置関係となるように配設され、磁性体又は放射性物質を検知するセンサ１２とを備えている。
【００２０】
載置部１１には、例えば、図１（Ａ）に示したように、摘出部位Ｍを載置する凹状の受部１１Ａが設けられていることが好ましい。このように構成すれば、受部１１Ａに摘出部位Ｍを入れることにより、摘出部位Ｍの載置位置を容易に位置決めすることができるので好ましい。また、受部１１Ａは、上側開口部の面積よりも下側載置部の面積の方が狭く、内側面には、上側開口部から下側載置部に向かい内側に傾斜された傾斜部１１Ｂが設けられていることが好ましい。
【００２１】
体内から摘出した摘出部位Ｍは、柔らかく、ぬるぬるしていて形が定まらず、更に、血液や体液が付着しており、しかも、大きさが数ｍｍ程度と小さいので、取扱い難く、所定の位置に再現性良く載置することが難しいからである。この受部１１Ａによれば、上側開口部の面積が大きいので摘出部位Ｍを入れやすく、かつ、受部１１１Ａに入れられた摘出部位Ｍは傾斜部１１Ｂにより案内されて面積の狭い下側載置部の上に載置されるので、最適位置から離れたところから摘出部位Ｍを投入しても、所定の位置に再現性良く載置することができるようになっている。
【００２２】
なお、図１（Ａ）では、受部１１Ａの内側面を傾斜部１１Ｂとし、受部１１Ａを逆円錐台形又は逆角錐台形としたが、逆円錐形又は逆角錐形としてもよい。また、図１（Ｂ）に示したように、受部１１Ａの内側面の一部を傾斜部１１Ｂとするようにしてもよい。このように構成しても、面積の狭い下側載置部に摘出部位Ｍを誘導して載置することができるので好ましい。
【００２３】
更に、図１（Ａ）（Ｂ）では、載置部１１に受部１１Ａを設ける場合について説明したが、例えば、図１（Ｃ）に示したように、摘出部位Ｍを支持するガイド部材１１Ｃを設け、このガイド部材１１Ｃにより摘出部位Ｍを支持するようにしてもよい。
【００２４】
センサ１２は、例えば、載置部１１の表面又は表面近傍に配設されることが好ましい。例えば、図１（Ａ）（Ｂ）に示したように、載置部１１に凹状の受部１１Ａが設けられている場合には、受部１１Ａの下側載置部の表面又は表面近傍にセンサ１２を配設することが好ましく、受部１１Ａの下側載置部に対応して、センサ１２の高感度領域が位置するように配設することが好ましい。例えば、コイル型のセンサ１２を用いる場合には、コイル中心近傍で検出感度が高くなるので、コイル中心近傍に受部１１Ａの下側載置部が位置するようにすることが好ましい。また、センサ１２の先端中心部に高感度領域がある場合には、センサ１２の先端中心部近傍に受部１１Ａの下側載置部が位置するようにすることが好ましい。更に、ヨークギャップ部に高感度領域を有するセンサ１２の場合には、ヨークギャップ部近傍に受部１１Ａの下側載置部が位置するようにすることが好ましい。
【００２５】
また、例えば、図１（Ｃ）に示したように、載置部１１にガイド部材１１Ｃを設けて摘出部位Ｍを支持する場合には、ガイド部材１１Ｃにより支持された摘出部位Ｍの底部が接触する載置部１１の表面又は表面近傍にセンサ１２を配設することが好ましい。摘出部位Ｍとセンサ１２との距離を近づけることができるので、検知精度を高めることができるからである。
【００２６】
また、センサ１２が、温度や圧力の影響を受けやすいものである場合には、センサ１２の検知部と摘出部位Ｍ又は載置部１１とが直接接触しないように、それらの間に空間を設けることが好ましい。摘出部位Ｍを載置部１１に載置した時の温度や圧力の変化により、センサ１２のセンシング性能が変動することを抑制することができるからである。なお、センサ１２は、１つでもよく、複数配設するようにしてもよい。
【００２７】
更に、この検知装置１０は、例えば、センサ１２により磁性体又は放射性物質を検知した時に、検知したことを知らせる通知部１３を備えていることが好ましい。通知部１３は、例えば、検出した磁気信号又は放射線信号の強度に応じた数値を表示することにより、磁性体又は放射性物質を検知したことを確認作業者に知らせるように構成することが好ましい。また、通知部１３は、例えば、磁気信号又は放射線信号の強度に応じた数値を表示する機能に加えて、又は、変えて、磁性体又は放射性物質を検知したことを音や光により確認作業者に知らせるように構成してもよい。
【００２８】
この検知装置１０では、例えば、体内から摘出した摘出部位Ｍを載置部１１に載置すると、摘出部位Ｍに磁性体又は放射性物質を含むセンチネルリンパ節Ｍ１が含まれている場合には、センサ１２によりセンチネルリンパ節Ｍ１に含まれる磁性体磁性体又は放射性物質が検知され、通知部１３により確認作業者に検知が通知される。また、摘出部位Ｍに磁性体又は放射性物質を含むセンチネルリンパ節Ｍ１が含まれていない場合には、センサ１２により磁性体又は放射性物質が検知されず、通知部１３は作動しない。
【００２９】
このように本実施の形態によれば、摘出部位Ｍを載置する載置部１１と、載置部１１に載置された摘出部位Ｍに対して所定の位置関係となるように配設されたセンサ１２とを備えるようにしたので、載置部１１に摘出部位Ｍを載置することにより、容易にセンサ１２と摘出部位Ｍとを所定の位置関係とすることができる。よって、摘出部位Ｍにセンチネルリンパ節Ｍ１が含まれているか否かを迅速かつ正確に確認することができる。
【００３０】
特に、載置部１１に摘出部位Ｍを載置する凹状の受部１１Ａを設けるようにすれば、摘出部位Ｍの載置位置を容易に位置決めすることができる。また、受部１１Ａの上側開口部の面積よりも下側載置部の面積の方を狭くし、内側面に上側開口部から下側載置部に向かい内側に傾斜された傾斜部１１Ｂを設けるようにすれば、摘出部位Ｍを所定の位置に再現性良く載置することができる。
【００３１】
（第２の実施の形態）
図２は、本発明の第２の実施の形態に係る検知装置２０の構成を表すものである。この検知装置２０は、載置部２１を摘出部位載置容器により構成し、載置部２１を配置する基台２４を備え、センサ２２の配設位置が異なることを除き、他は第１の実施の形態と同様の構成を有している。よって、第１の実施の形態と対応する構成要素には、十の位を２に変えた符号を付し、その詳細な説明は省略する。
【００３２】
載置部２１を構成する摘出部位載置容器は、例えば、凹状の受部２１Ａを有しており、基台２４に対して着脱可能とされている。受部２１Ａは、第１の実施の形態で説明したように、上側開口部の面積よりも下側載置部の面積の方が狭く、内側面には、上側開口部から下側載置部に向かい内側に傾斜された傾斜部２１Ｂが設けられていることが好ましい。例えば、第１の実施の形態で説明したように、図２（Ａ）（Ｃ）（Ｄ）のように、受部２１Ａの内側面を傾斜部２１Ｂとし、受部２１Ａを逆円錐台形又は逆角錐台形としてもよく、また、逆円錐形又は逆角錐形としてもよい。更に、図２（Ｂ）のように、受部２１Ａの内側面の一部を傾斜部２１Ｂとするようにしてもよい。
【００３３】
また、摘出部位載置容器は、基台２４に配置された時に基台２４に接触せず、手で把持することができる把持部２１Ｄを有していることが好ましい。摘出部位Ｍに触り血液等で汚れた手で摘出部位載置容器を持っても、その汚れが基台２４に付かないので、基台２４を洗浄する必要がないからである。例えば、図２（Ａ）（Ｂ）（Ｃ）に示したように、摘出部位載置容器の上側が基台２４から突出するように形成し、突出部分を把持部２１Ｄとしてもよく、また、図２（Ｄ）に示したように、摘出部位載置容器から上側に一部を伸長させて把持部２１Ｄを形成するようにしてもよい。
【００３４】
摘出部位載置容器は、例えば、非磁性材料により構成され、また、非金属材料により構成されることが好ましい。センサ２２による磁性体又は放射性物質を含むの検知能力を向上させることができるからである。具体的には、摘出部位載置容器は、例えば、合成樹脂により構成することが好ましい。また、後述する第５の実施の形態で説明するように、光表示部５５によりセンチネルリンパ節Ｍ１の位置を示す場合には、光を透過する材料および厚さとすることが好ましい。
【００３５】
基台２４には、例えば、図２（Ａ）（Ｂ）（Ｄ）に示したように、摘出部位載置容器を配置する配置凹部２４Ａを設けるようにしてもよく、また、図２（Ｃ）に示したように、摘出部位載置容器を支持する容器支持部材２４Ｂを設けるようにしてもよい。このように構成すれば、摘出部位載置容器を基台２４の決められた場所に容易に配置することができ、摘出部位Ｍの載置位置を容易に位置決めすることができるので好ましい。摘出部位載置容器と基台２４との接触面積は、センサ２２が温度の影響を受けやすいものである場合等には、小さくした方が好ましい。摘出部位Ｍの熱が摘出部位載置容器を介して基台２４に伝わり難くすることができるので、温度変化により、センサ２２のセンシング性能が変動することを抑制することができるからである。
【００３６】
センサ２２は、例えば、基台２４の表面又は表面近傍に配設されることが好まし。例えば、図２（Ａ）（Ｂ）（Ｄ）に示したように、基台２４に配置凹部２４Ａを設ける場合には、配置凹部２４Ａの底部の表面又は表面近傍にセンサ２２を配設することが好ましい。また、例えば、図２（Ｃ）に示したように、基台２４に容器支持部材２４Ｂを設ける場合には、容器支持部材２４Ｂにより支持された摘出部位載置容器の底部が接触する基台２４の表面又は表面近傍にセンサ２２を配設することが好ましい。いずれの場合も、第１の実施の形態で説明したように、受部２１Ａの下側載置部に対応して、センサ２２の高感度領域が位置するように配設することが好ましい。また、第１の実施の形態と同様に、センサ１２が、温度や圧力の影響を受けやすいものである場合には、センサ１２の検知部と摘出部位載置容器又は基台２４とが直接接触しないように、それらの間に空間を設けることが好ましい。センサ２２のセンシング性能の変動を抑制することができるからである。
【００３７】
このように本実施の形態によれば、摘出部位載置容器により載置部２１を構成し、基台２４に配置するようにすれば、摘出部位Ｍを受部２１Ａに載置して基台２４に配置することにより、容易にセンサ２２と摘出部位Ｍとを所定の位置関係とすることができる。また、摘出部位Ｍに個別に対応して摘出部位載置容器を交換するようにすれば、１回毎に載置部２１を掃除する手間がなく、簡便に確認作業を行うことができる。
【００３８】
摘出部位載置容器に把持部を設けるようにすれば、摘出部位Ｍに触り血液等で汚れた手で持っても、その汚れをが基台２４に付かないので、基台２４を洗浄する手間がなく、簡便に確認作業を行うことができる。
【００３９】
（第３の実施の形態）
図３は、本発明の第３の実施の形態に係る検知装置３０の構成を表すものである。この検知装置３０は、載置部３１がセンサ３２に対して相対的に移動可能とされたことを除き、他は第２の実施の形態と同様の構成を有している。よって、第２の実施の形態と対応する構成要素には、十の位を３に変えた符号を付し、その詳細な説明は省略する。
【００４０】
この検知装置３０は、例えば、図示しないが、載置部３１とセンサ３２とを相対的に移動させる移動手段を備えている。この移動手段は、センサ３２及び基台３４を固定して載置部３１を移動させるようにしてもよく、載置部３１を固定してセンサ３２及び基台３４を移動させるようにしてもよく、載置部３１及び基台３４を固定してセンサ３２を移動させるようにしてもよい。これにより、摘出部位Ｍに複数のリンパ節が含まれる場合において、磁性体又は放射性物質を含むセンチネルリンパ節Ｍ１がセンサ３２に近づいた時にセンサ３２が検知するので、複数あるリンパ節のうちのどれがセンチネルリンパ節Ｍ１であるかを容易に判断することができる。なお、図３では、磁性体又は放射性物質を含むセンチネルリンパ節Ｍ１を黒で示し、センチネルリンパ節Ｍ１以外のリンパ節を白で示している。
【００４１】
（第４の実施の形態）
図４は、本発明の第４の実施の形態に係る検知装置４０の構成を表すものである。図４においても、磁性体又は放射性物質を含むセンチネルリンパ節Ｍ１を黒で示し、センチネルリンパ節Ｍ１以外のリンパ節を白で示している。この検知装置４０は、センサ４２を複数配列して設けたことを除き、他は第２の実施の形態と同様の構成を有している。よって、第２の実施の形態と対応する構成要素には、十の位を４に変えた符号を付し、その詳細な説明は省略する。なお、本実施の形態は、第１の実施の形態についても適用することができる。
【００４２】
センサ４２は、例えば、載置部４１の底部が接触する基台４４の表面又は表面近傍において、マトリクス状に配設されている。また、通知部４３は、例えば、どのセンサ４２が磁性体又は放射性物質を検知したのかを通知するように構成されている。これにより、摘出部位Ｍに複数のリンパ節が含まれる場合において、磁性体又は放射性物質を含むセンチネルリンパ節Ｍ１の近くにあるセンサ４２が検知するので、センサ４２の位置により、複数あるリンパ節のうちのどれがセンチネルリンパ節Ｍ１であるかを容易に判断することができる。
【００４３】
（第５の実施の形態）
図５は、本発明の第５の実施の形態に係る検知装置５０の構成を表すものである。図５においても、磁性体又は放射性物質を含むセンチネルリンパ節Ｍ１を黒で示し、センチネルリンパ節Ｍ１以外のリンパ節を白で示している。この検知装置５０は、通知部４３に変えて、センサ５２が磁性体又は放射性物質を検知した時に光により検知を知らせる光表示部５５を備えたことを除き、他は第４の実施の形態と同様の構成を有している。よって、第４の実施の形態と対応する構成要素には、十の位を５に変えた符号を付し、その詳細な説明は省略する。なお、この検知装置５０は通知部４３を備えるようにしてもよい。また、本実施の形態は、他の実施の形態についても適用することができる。
【００４４】
光表示部５５は、例えば、センサ５２により磁性体又は放射性物質を検知した位置を光により知らせるものである。光表示部５５は、例えば、発光素子により構成され、センサ５２に内蔵若しくは隣接して、又はその両方に設けられることが好ましい。これにより、摘出部位Ｍを見ながら、センサ５２が磁性体又は放射性物質を検知したこと及びその位置を光により容易に確認することができる。また、光表示部５５は、例えば、レーザー発光素子により構成し、摘出部位Ｍの上方から、センサ５２が磁性体又は放射性物質を検知した位置にレーザー光を照射することにより、センサ５２が磁性体又は放射性物質を検知した位置を知らせるように構成してもよい。
【００４５】
（第６の実施の形態）
図６は、本発明の第６の実施の形態に係る検知装置６０の構成を表すものである。図６においても、磁性体又は放射性物質を含むセンチネルリンパ節Ｍ１を黒で示し、センチネルリンパ節Ｍ１以外のリンパ節を白で示している。この検知装置６０は、通知部４３に変えて、載置部６１に載置された摘出部位Ｍを撮像する撮像部６６と、撮像部６６により撮像された映像を表示するモニタ等の映像表示部６７と、センサ６２が磁性体又は放射性物質を検知した際に、センサ６２により検知した検知位置を摘出部位Ｍの映像に重ねて映像表示部６７に表示する検知位置指示部６８とを備えたことを除き、他は第４の実施の形態と同様の構成を有している。よって、第４の実施の形態と対応する構成要素には、十の位を６に変えた符号を付し、その詳細な説明は省略する。なお、この検知装置６０は通知部４３を備えるようにしてもよい。また、本実施の形態は、他の実施の形態についても適用することができる。本実施の形態によれば、映像表示部６７の表示を見ることにより、磁性体又は放射性物質を含むセンチネルリンパ節の位置を容易に確認することができる。
【００４６】
以上、実施の形態を挙げて本発明を説明したが、本発明は上記実施の形態に限定されるものではなく、種々変形可能である。例えば、上記各実施の形態では、各構成要素について具体的に説明したが、全ての構成要素を備えていなくてもよく、他の構成要素を備えていてもよい。また、第２の実施の形態から第６の実施の形態では、載置部２１，３１，４１，５１，６１を着脱可能とする場合について説明したが、着脱可能としなくてもよい。
【産業上の利用可能性】
【００４７】
体内から摘出した摘出部位にセンチネルリンパ節が含まれているか否かを確認する際に用いることができる。
【符号の説明】
【００４８】
１０，２０，３０，４０，５０，６０…検知装置、１１，２１，３１，４１，５１，６１…載置部、１１Ａ，２１Ａ，３１Ａ，４１Ａ，５１Ａ，６１Ａ…受部、１１Ｂ，２１Ｂ３１Ｂ，４１Ｂ，５１Ｂ，６１Ｂ…傾斜部、１１Ｃ…ガイド部材、１２，２２，３２，４２，５２，６２…センサ、１３，２３，３３，４３…通知部、２４，３４，４４，５４，６４…基台、２１Ｄ…把持部、２４Ａ…配置凹部、２４Ｂ…容器支持部材、５５…光表示部、６６…撮像部、６７…映像表示部、６８…検知位置指示部、Ｍ…摘出部位、Ｍ１…センチネルリンパ節
【図１】
0006392132.tif 000002
【図２】
0006392132.tif 000003
【図３】
0006392132.tif 000004
【図４】
0006392132.tif 000005
【図５】
0006392132.tif 000006
【図６】
0006392132.tif 000007